(57)【特許請求の範囲】
【請求項１】
溝によって、複数のエリアに区分けされた浴室床であって、
前記エリアは、凹凸の施された化粧面とされており、
前記化粧面の最も高い部分を基準とした場合に、前記化粧面の凹部の最も深い深さと、前記溝の深さとは、略同一であり、
前記溝の開口幅は、前記化粧面の前記凹部の開口幅よりも狭く設定されており、
前記溝の断面形状が表側に向かって広がる形状であることを特徴とする浴室床。
【請求項２】
前記凹部の開口幅は、形成場所により異なりランダムとされており、
前記溝の開口幅は、形成場所によらず、ほぼ同一とされていることを特徴とする請求項１に記載の浴室床。
【請求項３】
前記溝を形成する下り斜面の勾配は、前記化粧面の前記凹部の下り斜面の勾配よりも大きくなっており、
前記溝は、前記化粧面の前記凹部に比べて、光による陰影がつきやすくなっている請求項１及び請求項２のいずれか一項に記載の浴室床。
【発明の詳細な説明】
【技術分野】
【０００１】
本発明は浴室床に関するものである。
【背景技術】
【０００２】
従来、この種の浴室床として特許文献１に開示されたものが知られている。特許文献１では、浴室床は、複数の溝と、これら溝により囲まれる位置に形成された隆起体とを表面に備えている。そして、溝の底面は、中心線表面粗さＲａが１０〜１００μｍに設定される一方、隆起体の表面は、中心線表面粗さＲａが０より大きく５μｍ以下に設定されている。このように構成すると、溝の毛細管現象による誘引力を強めて床面全体の排水性を向上できるとされている。
【先行技術文献】
【特許文献】
【０００３】
【特許文献１】特開２００４−２９１４４３号公報
【発明の概要】
【発明が解決しようとする課題】
【０００４】
しかしながら、この特許文献１の浴室床では、床面全体の排水性が必ずしも十分ではなく、更なる性能の向上が求められているのが現状である。
【０００５】
本発明は、上記従来の実情に鑑みてなされたものであって、排水の流れが良好な浴室床を提供することを目的とする。
【課題を解決するための手段】
【０００６】
本発明の浴室床は、溝によって、複数のエリアに区分けされた浴室床であって、
前記エリアは、凹凸の施された化粧面とされており、
前記化粧面の最も高い部分を基準とした場合に、前記化粧面の凹部の最も深い深さと、前記溝の深さとは、略同一であることを特徴とする。
【０００７】
本発明に係る浴室床は、化粧面の最も高い部分を基準とした場合に、化粧面の凹部の最も深い深さと、溝の深さとは、略同一であるから、以下の作用効果を奏する。一般的な浴室床では、溝の深さは、化粧面の凹部よりも深くされている。よって、このような浴室床では、排水は溝に集まりやすく、この溝に沿って流れていくことになる。一方、本発明の浴室床では、溝の深さは、化粧面の凹部の最も深い深さと略同一であるから、排水は必ずしも溝に集まるのではなく、化粧面の上も流れていくことになる。従って、本発明の場合は、排水に寄与する部分が溝及び化粧面となるから、排水効率が高い。
【図面の簡単な説明】
【０００８】
【図１】実施例１の浴室床が設置された浴室を示す斜視図である。
【図２】実施例１の浴室床が設置された浴室を示す平面図である。
【図３】実施例１の浴室床を示す平面図である。
【図４】実施例１の浴室床を示す斜視断面図である。
【図５】実施例１の浴室床を示す断面図である。
【図６】従来例の浴室床を示す断面図である。
【発明を実施するための形態】
【０００９】
本発明における好ましい実施の形態を説明する。
【００１０】
本発明の浴室床において、溝の断面形状は表側に向かって広がる形状であることが好ましい。一般的な浴室床では、溝の断面形状は、略矩形状をなしている。このような溝では、溝の底面の両角部に汚れが溜まりやすい。また、清掃する場合においても両角部にブラシ等の掃除用具が届きにくく、清掃しにくい。一方、本発明の浴室床で、溝の断面形状が表側に向かって広がる形状とすると、一般的な浴室床よりも汚れが溜まりにくい。さらに、清掃する場合においてもブラシ等の掃除用具が入りやすく、清掃しやすい。
【００１１】
次に、本発明の浴室床１を具体化した実施例１について、図面を参照しつつ説明する。
【００１２】
＜実施例１＞
実施例１の浴室床１は、図１に示すように、ＦＲＰ（繊維強化プラスチック）等により一体に形成されており、浴槽３に隣接して洗い場領域を形成している。浴槽３は、浴槽本体部５と、エプロン７とを備えてなる。浴槽本体部５は、上面が全領域に亘って略方形に開放された箱形をなす貯湯部９と、貯湯部９の上面（上端）の開口縁から全周に亘って外方へ略水平に張り出した形態のフランジ部１１とを一体に形成して構成されている。貯湯部９は、前後方向に長い略略矩形をなす底壁部１３を備えている。底壁部１３の浴室床１寄りの位置には、排水溝１５が形成され、この排水溝１５に向かって水が流れるように、底壁部１３は、排水溝１５に向かってなだらかな傾斜を有している。
【００１３】
貯湯部９は、底壁部１３の両側縁部から斜め上外方へ立ち上がる一対の側壁部１７と、底壁部１３の前縁部から斜め上前方へ立ち上がる前壁部１９と、底壁部１３の後縁部から斜め上後方へ立ち上がる後壁部２１とを備えて構成されている。これらの壁部１７、１９、２１が連なる部分は、いずれも、滑らかな曲面で構成されている。底壁部１３には、滑り止め用の突起部２３が複数形成されている。突起部２３は、千鳥配列に並べられている。各突起部２３の形状は、平面視略矩形状をなしている。この形状は、後述するエリア４９の形状と、同一の部類に属する形状である。形状の分類として、略矩形状、略三角形状、略丸状等がある。本実施例においては、突起部２３の形状と、エリア４９の形状とは、ともに略矩形状とされている。なお、各突起部２３の上面は、平らな面とされている。
【００１４】
エプロン７は、浴槽本体部５の浴室床１側の側面を覆うように備えられている。エプロン７は、略中央が浴槽本体部５側に向けてやや凹むように、なだらかな曲面を描く壁部材であり、浴槽本体部５とは、別体にて構成されている。エプロン７の後端寄りで、エプロン７の下端寄りの位置には、手前側に突出した略矩形状の棚部２７が形成されている。この棚部２７にシャンプーやリンス等の容器を置くことができるようにされている。棚部２７は、突出側の角部が丸くされている。棚部２７が形成された部分では、略矩形の開閉可能な扉２９が設けられ、この扉２９を開けて点検等の作業ができるようにされている。
【００１５】
浴室床１は、全体としては浅底のパン状に形成されている。浴室床１は、図１〜３に示すように、平面視で略矩形状であり、エプロン７側の一辺のみが膨らむように湾曲した形状をなしている。浴室床１は、排水口３１と、排水口３１に向かって下り傾斜面となっている表面とを備えている。排水口３１は、浴槽３に近い位置に形成されており、排水口３１は、水路を確保しつつ、矩形状のカバー部材３５で覆われた形態とされている。このカバー部材３５により、排水口３１に大きな物体が落ちていかないように防止するとともに、排水が確実にされるようになっている。浴室床１の最外縁部は、上方に立ち上がり形成された水返し壁部３７とされている。
【００１６】
浴室床１には排水口３１が最も低くなるように排水勾配がつけられている。水は排水勾配に沿って流れ、排水口３１に集水されるようにされている。表面には、図２に示すように、それぞれ排水方向の異なる３つの勾配面３９、４１、４３が形成されている。各勾配面３９、４１、４３は、排水口３１に向かって下り傾斜になっている。勾配面３９と勾配面４１の間には、谷として形成された稜線４５が形成されている。勾配面４１と勾配面４３の間には、谷として形成された稜線４７が形成されている。但し、これらの稜線４５、４７は、浴室床１のデザインを損なわないように目立たないようにされている。従って、稜線４５、４７は突条や溝２５は形成されていない。
浴室床１の水は、各勾配面３９、４１、４３上を排水口３１に向かって流れていく。
【００１７】
浴室床１は、図１に示すように、溝２５によって、複数のエリア４９に区分けされている。具体的には、浴室床１を配した洗い場領域の全面は、図１〜３に示すように、例えば、略矩形のエリア４９を、その下段のエリア４９と半分ずれた積み方（馬積み）にされている。
【００１８】
浴室床１の複数のエリア４９からなるデザインは、次のように考えられている。すなわち、まず、略同一形状のエリア４９を積み重ねた例えば馬積みをイメージする。そして、そのイメージから、洗い場領域の大きさの枠に合わせてイメージの一部を切り取るようにされている。従って、この場合、浴室床１の外周部にあたる各エリア４９は、図３に示すように、略矩形等の形状が部分的に欠けた形態とされている。詳細には、図３に示すように、浴室床１の浴槽３に隣接している部分に位置する各エリア４９Ａでは、エプロン７の円弧状に沿って、略矩形の形状が欠けた形状とされている。すなわち、図３の３つのエリア４９Ａは、いずれもエプロン７に面した略矩形の一辺が円弧状に丸みを持つ形状とされている。また、これらの各エリア４９Ａの面積は、欠けていないエリア４９Ｂの面積よりも小さくされている。
【００１９】
一般的に、浴室床１の浴槽３に隣接している部分に位置するエリア４９であっても、エリア４９の略矩形の形状が全く欠けていない態様では、浴室床１が、浴槽３から分離しているように感じられる。これに対して、本実施例では、図３に示すように、浴室床１の浴槽３に隣接している部分に位置する各エリア４９Ａでは、略矩形の形状が欠けた形状とされている。このようにすると、浴室床１と浴槽３の一体性が生まれる。よって、浴槽３の下においても浴室床１がまるであるかのごとく、使用者に感じさせることができ、空間の広がりを演出できる。このように本実施例では、デザイン的に空間を大きく感じられるように工夫されている。
【００２０】
また、本実施例では、浴室床１の浴槽３に隣接していない場所に、略矩形の形状が欠けたエリア４９Ｃが存在している。すなわち、図３のエリア４９Ｃは、略矩形の長辺が短くなるように欠けた形状とされている。これらの各エリア４９Ｃの面積は、欠けていないエリア４９Ｂの面積よりも小さくされている。
【００２１】
浴室床１の外周部にあたるエリア４９であって、浴室床１の浴槽３に隣接していないエリア４９の略矩形の形状が全く欠けていない態様では、浴室床１は実際の領域より外に広がっているようには、感じられない。これに対して、本実施例では、図３に示すように、エリア４９Ｃで、略矩形の形状が欠けている。このようにすると、実際の浴室床１を超えて、洗い場がまるであるかのごとく、使用者に感じさせることができ、空間の広がりを演出できる。このように本実施例では、デザイン的に空間を大きく感じられるように工夫されている。
【００２２】
溝２５によって、区分けされたエリア４９は、図４に示すように、上面が凹凸の施された化粧面５１とされている。化粧面５１の凹凸は、デザイン性や滑り性を考慮して設計されており、規則性を有する模様や、ランダムな模様や、それらの組み合わせ等を任意に選択できる。本実施例では、図５に示すように、化粧面５１の最も高い部分５１Ａを基準とした場合に、化粧面５１の凹部５３の最も深い深さＤ１と、溝２５の深さＤ２とは、略同一とされている。この関係を図５に模式的に示す。図５に示すように、化粧面５１の最も高い部分５１Ａから、化粧面５１の凹部５３の最も深い深さをＤ１とし、溝２５の深さをＤ２と表す。本実施例においては、Ｄ１とＤ２が略同一とされている。すなわち、Ｄ１≒Ｄ２とされている。好ましくは、Ｄ２は、Ｄ１の１００〜１１０％とされる。例えば、具体的には、Ｄ１とＤ２はともに、０．５〜０．９ｍｍ、好ましくは、０．６〜０．８ｍｍ、さらに好ましくは０．７ｍｍである。このように、Ｄ１とＤ２を設定すると、排水は必ずしも溝２５に集まるのではなく、化粧面５１の上も流れていくことになる。よって、排水に寄与する部分が、溝２５及び化粧面５１となるから、排水効率が高くなる。この技術的思想は、溝２５を中心に排水するという従来の技術的思想とは、根本的に異なるものである。
【００２３】
ここで、更に詳しく、従来の浴室床１との比較にて本実施例を説明する。図６に従来の浴室床１の断面図を示す。図６に示すように、化粧面５１の最も高い部分５１Ａからの凹部５３の深さをＤ１とする。一方、溝２５の深さを、Ｄ２とする。従来例においては、Ｄ２＞Ｄ１とされている。よって、このものにおいては、より低い溝２５の部分に水が流れ込みやすくされていた。従って、排水に寄与する部分は、溝２５の部分が主とされていた。つまり、化粧面５１の上に水を流すことは、あまり考慮されていなかった。また、従来のものでは、溝２５の深さのみならず、その開口幅Ｗ２も凹部５３の開口幅Ｗ１よりも広くされている（図６参照）。このように、従来のものでは、溝２５の断面積の方が、化粧面５１の各凹部５３の断面積よりも大きく設計されている。従来の技術的思想は、溝２５を中心に排水するものであり、本実施例の技術的思想とは、根本的に異なるものである。
【００２４】
溝２５について更に詳細に説明する。本実施例では、溝２５の断面形状は、図５に示すように、表側に向かって広がる形状であり、全体として、開口部が広がった略Ｕ字状をなしている。溝２５の底は、曲面をなしており、角がなく、汚れが溜まりにくい形状とされている。形状に関して、化粧面５１の凹部５３と溝２５とを比較する。化粧面５１の凹部５３の開口幅Ｗ１は、溝２５の開口幅Ｗ２よりも大きくされている一方、深さは前述のように略同一である。従って、溝２５の方が、下側に向かう鋭い形状をなしている。これにより、化粧面５１の凹凸による模様よりも、溝２５の方が際だって見えることになり、溝２５によるエリア４９の区画が、使用者から視認可能とされている。
【００２５】
従来例の溝２５の断面形状は、図６に示すように、略矩形状をなしている。詳細には、平坦な底面部２５Ａと、底面部２５Ａから立ち上がる側壁部２５Ｂとを有しており、底面部２５Ａには、断面視で略直角の角部２５Ｃが２つある形態をなしている。このため、従来例の溝２５では、略直角の角部２５Ｃに、汚れが溜まりやすい傾向にあった。角部２５Ｃは、清掃する場合においてもブラシ等の掃除用具が届きにくい場所である。
【００２６】
なお、本実施例では、化粧面５１の凹凸における凹部５３の開口幅Ｗ１は、形成場所により異なりランダムとされている。一方、溝２５の開口幅Ｗ２は、形成場所によらず、ほぼ同一とされている。そして、溝２５の開口幅Ｗ２は、化粧面５１の凹部５３の開口幅Ｗ１よりも狭く設定されている。このように化粧面５１の凹部５３の開口幅Ｗ１と、溝２５の開口幅Ｗ２を設定することにより、溝２５が、化粧面５１の凹凸よりも目立ちやすくなり、溝２５は擬似的な目地の役割を果たし、デザイン的に有利である。
【００２７】
実施例に係る浴室床１は、金属板をエッチング処理して得られた成形型を用いて製造することができる。ここで、エッチング処理液としては、鉄鋼用化学研磨液、過塩化鉄液を単独又は組み合わせて使用できる。これらに水、硝酸、塩酸等を配合して用いることもできる。本実施例の浴室床１は、エッチング処理のみを用いて製造した成形型によっても製造することが可能である。
【００２８】
＜実施例の効果＞
本実施例に係る浴室床１は、化粧面５１の最も高い部分５１Ａを基準とした場合に、化粧面５１の凹部５３の最も深い深さＤ１と、溝２５の深さＤ２とは、略同一であるから、以下の作用効果を奏する。従来の浴室床１では、溝２５の深さは、化粧面５１の凹部５３よりも深くされている。よって、このような浴室床１では、排水は溝２５に集まりやすく、この溝２５に沿って流れていくことになる。一方、本実施例の浴室床１では、溝２５の深さＤ２は、化粧面５１の凹部５３の最も深い深さＤ１と略同一であるから、排水は必ずしも溝２５に集まるのではなく、化粧面５１の上も流れていくことになる。従って、本実施例の場合は、排水に寄与する部分が溝２５及び化粧面５１となるから、排水効率が高くなる。
【００２９】
本実施例の浴室床１において、溝２５の断面形状は、図５に示すように、表側に向かって広がる形状であり、全体として、開口部が広がった略Ｕ字状をなしている。従来の浴室床１では、溝２５の断面形状は、図６に示すように、略矩形状をなしている。詳細には、平坦な底面部２５Ａと、底面部２５Ａから立ち上がる側壁部２５Ｂとを有しており、底面部２５Ａには、断面で視て略直角の角部が２５Ｃ２つある形態をなしている。このような従来の溝２５は、底面の両角部２５Ｃに汚れが溜まりやすい。また、清掃する場合においても両角部２５Ｃにブラシ等の掃除用具が届きにくく、清掃しにくい。一方、本実施例の浴室床１では、溝２５の断面形状が表側に向かって広がる形状であるから、一般的な浴室床１よりも汚れが溜まりにくい。さらに、清掃する場合においてもブラシ等の掃除用具が入りやすく、清掃しやすい。
【００３０】
本実施例の化粧面５１の凹凸における凹部５３の開口幅Ｗ１は、形成場所により異なりランダムとされている。一方、溝２５の開口幅Ｗ２は、形成場所によらず、ほぼ同一とされている。よって、溝２５の方が、規則性を有しており、利用者の視覚にとまりやすく、擬似的な目地の役割を果たす。
また、溝２５の開口幅Ｗ２は、化粧面５１の各凹部５３の開口幅Ｗ１よりも狭く設定されている。このように化粧面５１の凹部５３の開口幅Ｗ１と、溝２５の開口幅Ｗ２を設定することにより、溝２５には陰影が強くついて、化粧面５１の凹凸よりも目立ちやすくなり、溝２５は擬似的な目地の役割を果たし、デザイン的に有利である。本実施例では、溝２５の深さＤ２は、化粧面５１の凹部５３の最も深い深さＤ１と略同一である。この場合、仮に化粧面５１の凹部５３の開口幅Ｗ１と、溝２５の開口幅Ｗ２が略同一であると、両者に同等の陰影がついて溝２５が目立ちにくくなる。本実施例では、溝２５の開口幅Ｗ２は、化粧面５１の凹部５３の開口幅Ｗ１よりも狭く設定されているから、溝２５を形成する下り斜面の勾配は、化粧面５１の凹部５３の下り斜面の勾配よりも大きくなる。よって、溝２５は、化粧面５１の凹部５３に比べて、光による陰影がつきやすく目立ちやすい。従って、本実施例における溝２５は、擬似的な目地の働きをデザイン的に十分果たすことができる。
【００３１】
本実施例では、浴槽３の平面形状と、溝２５により区画されたエリア４９の形状とは同一の部類に属する形状である。ここで同一の部類に属する形状とは、形状の分類として、略矩形状、略三角形状、略丸状等があり、本実施例では、浴槽３の平面形状及び溝２５により区画されたエリア４９は、ともに略矩形状とされている。浴槽３の平面形状及び区画されたエリア４９を同一の部類に属する形状とすると次のような効果が期待できる。すなわち、人間は、同一の部類に属する形状が複数並べられた空間にいると、安心感を受けやすい。本実施例の浴室床１には、略同一の部類に属する形状が複数配されることになり、安心感を得やすい。特に、入浴中はリラックスした状態であり、緊張が和らぎやすいため、浴槽３とエリア４９の形状を同一の部類に属する形状とすると、入浴との相乗効果により、高い安心感が得られる効果を期待できる。
【００３２】
また、本実施例では、滑り止め用の突起部２３と、溝２５により区画されたエリア４９の形状とは同一の部類に属する形状である。本実施例では、滑り止め用の突起部２３及び溝２５により区画されたエリア４９は、ともに略矩形状とされている。滑り止め用の突起部２３の平面形状及び区画されたエリア４９を同一の部類に属する形状とすると次のような効果が期待できる。すなわち、人間は、同一の部類に属する形状が複数並べられた空間にいると、安心感を受けやすい。本実施例の浴室床１には、略同一の部類に属する形状が浴槽３内にも配されることになり、安心感を得やすい。特に、入浴中はリラックスした状態であり、緊張が和らぎやすいため、滑り止め用の突起部２３とエリア４９の形状を同一の部類に属する形状とすると、入浴との相乗効果により、高い安心感が得られる効果を期待できる。
【００３３】
＜他の実施例＞
本発明は上記記述及び図面によって説明した実施例に限定されるものではなく、例えば次のような実施例も本発明の技術的範囲に含まれる。
（１）実施例の浴室床１では、溝２５により、馬踏み目地状にされている例を示したが、次のような形態であってもよい。馬踏み目地、通し目地、たて芋目地、たて張り千鳥目地、たて馬目地、やはず張り、イギリス張り、フランス張り、アメリカ張り、四半目地、バスケットのような形態としてもよいことは、もちろんである。
（２）実施例の浴室床１では、ＦＲＰ（繊維強化プラスチック）からなる例を挙げて説明したが、材質は特に限定されない。例えば、ポリプロピレン、ポリエチレン等の熱可塑性樹脂に補強を施した材質も適用できる。
（３）実施例の浴室床１では、溝２５によって、区分けされた特定数のエリア４９を備えたものを例に挙げて説明したが、エリア４９の数は、必要に応じ、デザイン性も考慮して適宜選択できる。
（４）実施例の浴室床１では、溝２５によって、略矩形のエリアに区分けされたものを例に挙げて説明したが、エリア４９の形状は特に限定されない。
【符号の説明】
【００３４】
１…浴室床
２５…溝
５１…化粧面
５１Ａ…最も高い部分
５３…凹部
【図１】
0006652773.tif 000002
【図２】
0006652773.tif 000003
【図３】
0006652773.tif 000004
【図４】
0006652773.tif 000005
【図５】
0006652773.tif 000006
【図６】
0006652773.tif 000007